(57)【要約】【課題】魅力的なアルバム画像を作成するために必要な画像の編集処理の手間をなくす。【解決手段】静止画像の代表値と目標色との色較差を算出し、色較差が予め設けられた基準範囲となるか否かを判定する。静止画像のうち、色較差が基準範囲となる静止画像の割合が６０％以上となる場合には、画像編集方法として色調補正処理が選択される。一方、色較差が基準範囲となる静止画像の割合が６０％未満となる場合には、画像編集方法としてグルーピング処理が行われる。静止画像において、色調補正処理、或いはグルーピング処理が行われた後に、テンプレート画像に合成されるので、魅力的なアルバム画像を作成することができる。【選択図】        図６
2007028548.tif 000002
【特許請求の範囲】
【請求項１】
複数の静止画像に対して画像編集を行う画像編集装置において、
１つの静止画像を解析することにより、該静止画像の代表色を決定する代表色決定手段と、
静止画像の代表色が、指定された目標色に対して設けられた色範囲であるか否かを判定することによって、前記複数の静止画像を、前記色範囲内となるグループと前記色範囲外となるグループとに振り分ける画像振り分け手段と、
前記静止画像の代表色と前記目標色との比較から得られた色調補正量に基づいて、静止画像の色調補正を行う色調補正手段と、
前記静止画像の代表色と前記目標色との比較を、全ての静止画像について実行することによって、前記画像振り分け手段における静止画像の振り分けを行うか、または前記色調補正手段における静止画像の色調補正行うかを選択する編集方法選択手段とを備えたことを特徴とする画像編集装置。
【請求項２】
前記静止画像の代表色と、前記目標色との色較差を算出する色較差演算手段を設け、
前記編集方法選択手段は、前記色較差が予め設定された基準範囲内であるか否かを判定し、該判定結果に基づいて、前記静止画像の振り分けを行うか、静止画像の色調補正を行うかを選択することを特徴とする請求項１記載の画像編集装置。
【請求項３】
前記複数の静止画像を解析することによって前記目標色を検出する目標色検出手段を備えていることを特徴とする請求項１又は２記載の画像編集装置。
【請求項４】
複数の静止画像に対して画像編集を行う画像編集プログラムにおいて、
１つの静止画像を解析することにより、該静止画像の代表色を決定する代表色決定手段と、
静止画像の代表色が、指定された目標色に対して設けられた基準範囲内であるか否かを判定することによって、前記複数の静止画像を、前記代表色が前記基準範囲内であるグループと、前記代表色が基準範囲外であるグループとに振り分ける画像振り分け手段と、
前記静止画像の代表色と前記目標色との比較から得られた色調補正量に基づいて、静止画像の色調補正を行う色調補正手段と、
前記静止画像の代表色と前記目標色との比較を、全ての静止画像について実行することによって、前記画像振り分け手段における静止画像の振り分けを行うか、または前記色調補正手段における静止画像の色調補正行うかを選択する編集方法選択手段としてコンピュータを機能させることを特徴とする画像編集プログラム。
【発明の詳細な説明】
【技術分野】
【０００１】
本発明は、画像の色情報に基づいて好適な画像編集を行う画像編集装置、及び画像編集プログラムに関するものである。
【背景技術】
【０００２】
ＣＣＤイメージセンサを備えたデジタルスチルカメラを用いて撮影された被写体の静止画像は、デジタル画像データとしてメモリカード等の記憶媒体に記憶される。撮影画像を観賞する際には、例えば、デジタルスチルカメラを家庭用テレビに接続すると、撮影画像をテレビ画面上に表示することができる。また、メモリカードに記憶された画像データをパーソナルコンピュータに転送し、パーソナルコンピュータのモニタに撮影画像を表示することができる。複数の撮影画像を観賞する際には、指定された撮影画像を所定の順番で表示するスライドショー機能を用いると便利である。スライドショー機能は、デジタルスチルカメラやパーソナルコンピュータの画像再生機能の一部として組み込まれ、複数の画像を一定時間ごとに表示する（例えば、特許文献１参照）。
【０００３】
スライドショーには、撮影画像を１枚ずつ順番に表示するシンプルなものと、装飾用のテンプレート画像に撮影画像を合成したアルバム画像として表示するもの等がある。アルバム画像として撮影画像を表示するスライドショーは、予め用意されたテンプレート画像に撮影画像を配置するレイアウト領域が設定されており、レイアウト領域の外部には装飾用の背景領域が設定されている。１つのテンプレート画像には、例えば、２コマ〜４コマの撮影画像を合成することができ、各レイアウト領域に嵌め込まれた撮影画像はアルバム画像として画面上に出力される（例えば、特許文献２等参照）。
【０００４】
アルバム画像は、任意に選択されるテンプレート画像に対し、撮影順などの所定の順番通りに撮影画像を割り当てることでその自動作成が可能となる。この場合、被写体の種類、撮影時刻等が異なる撮影画像が混在すると、色調や撮影テーマ等の統一感がない見映えの劣るアルバム画像となってしまうことがある。したがって、結婚式や入学式等の重要な記念写真は、その色彩のバランスや撮影画像の内容を考慮し、テンプレート画像の種類の選択や各テンプレートに嵌め込む撮影画像の編集は人手をかけて行う必要があった。
【特許文献１】特開２００５−０３９３５９号公報
【特許文献２】特許第２９８２１４９号公報
【発明の開示】
【発明が解決しようとする課題】
【０００５】
しかしながら、見映えの優れたアルバム画像をユーザー自身が作成するには、色彩や画像処理に関する知識が必要となり、大変な手間がかかるという欠点がある。また、専門の画像加工業者を利用すれば質の高いアルバム画像を得られるが、高価な費用と作成日数を要し、手軽にアルバム画像の作成を依頼することが難しいという問題がある。
【０００６】
本発明は、上記問題点を考慮してなされたものであり、魅力的なアルバム画像を作成するために必要な画像の編集処理の手間をなくすことのできる画像編集装置及び画像編集プログラムを提供することを目的とする。
【課題を解決するための手段】
【０００７】
本発明の画像編集装置は、複数の静止画像に対して画像編集を行う画像編集装置において、１つの静止画像を解析することにより、該静止画像の代表色を決定する代表色決定手段と、静止画像の代表色が、指定された目標色に対して設けられた色範囲であるか否かを判定することによって、前記複数の静止画像を、前記色範囲内となるグループと前記色範囲外となるグループとに振り分ける画像振り分け手段と、前記静止画像の代表色と前記目標色との比較から得られた色調補正量に基づいて、静止画像の色調補正を行う色調補正手段と、前記静止画像の代表色と前記目標色との比較を、全ての静止画像について実行することによって、前記画像振り分け手段における静止画像の振り分けを行うか、または前記色調補正手段における静止画像の色調補正行うかを選択する編集方法選択手段とを備えたことを特徴とする。
【０００８】
また、前記静止画像の代表色と、前記目標色との色較差を算出する色較差演算手段を設け、前記編集方法選択手段は、前記色較差が予め設定された基準範囲内であるか否かを判定し、該判定結果に基づいて、前記静止画像の振り分けを行うか、静止画像の色調補正を行うかを選択することを特徴とする。
【０００９】
また、前記複数の静止画像を解析することによって前記目標色を検出する目標色検出手段を備えていることを特徴とする。
【００１０】
また、本発明の画像編集プログラムは、複数の静止画像に対して画像編集を行う画像編集プログラムにおいて、１つの静止画像を解析することにより、該静止画像の代表色を決定する代表色決定手段と、静止画像の代表色が、指定された目標色に対して設けられた基準範囲内であるか否かを判定することによって、前記複数の静止画像を、前記代表色が前記基準範囲内であるグループと、前記代表色が基準範囲外であるグループとに振り分ける画像振り分け手段と、前記静止画像の代表色と前記目標色との比較から得られた色調補正量に基づいて、静止画像の色調補正を行う色調補正手段と、前記静止画像の代表色と前記目標色との比較を、全ての静止画像について実行することによって、前記画像振り分け手段における静止画像の振り分けを行うか、または前記色調補正手段における静止画像の色調補正行うかを選択する編集方法選択手段としてコンピュータを機能させることを特徴とする。
【発明の効果】
【００１１】
本発明の画像編集装置によれば、複数の静止画像に対して画像編集を行う画像編集装置において、１つの静止画像を解析することにより、該静止画像の代表色を決定する代表色決定手段と、静止画像の代表色が、指定された目標色に対して設けられた色範囲であるか否かを判定することによって、前記複数の静止画像を、前記色範囲内となるグループと前記色範囲外となるグループとに振り分ける画像振り分け手段と、前記静止画像の代表色と前記目標色との比較から得られた色調補正量に基づいて、静止画像の色調補正を行う色調補正手段と、前記静止画像の代表色と前記目標色との比較を、全ての静止画像について実行することによって、前記画像振り分け手段における静止画像の振り分けを行うか、または前記色調補正手段における静止画像の色調補正行うかを選択する編集方法選択手段とを備えたから、例えばアルバム画像を用いたスライドショーを、見映えの良いスライドショートして実現する画像編集処理の自動化、高速化が可能となる。
【００１２】
また、前記静止画像の代表色と、前記目標色との色較差を算出する色較差演算手段を設け、前記編集方法選択手段は、前記色較差が予め設定された基準範囲内であるか否かを判定し、該判定結果に基づいて、前記静止画像の振り分けを行うか、静止画像の色調補正を行うかを決定するから、見映えの良いアルバム画像を用いたスライドショーを実現する画像編集処理の自動化、高速化が可能となる。
【００１３】
前記複数の静止画像を解析することによって前記目標色を検出する目標色検出手段を備えているから、予め作業者が目標色を決定する必要がなくても、見映えの良いアルバム画像を用いたスライドショーを実現する画像編集処理の自動化、高速化が可能となる。
【発明を実施するための最良の形態】
【００１４】
図１において、本発明を適用したアルバム画像作成装置１０は、ＲＯＭ１１に記憶されたアルバム作成プログラムＰＧ１を実行するＣＰＵ１３を備えている。ＣＰＵ１３には、画像データ読み取り部１４，画像表示部１５，操作パネル１６が接続されている。画像データ読み取り部１４は、メモリカードから画像データを読み取るためのコネクタ、及びＣＤ等の光ディスクから画像データＰＤ１を読み取るためのディスクドライブからなる。画像表示部１５は、液晶ディスプレイを備え、画像データとして読み取られた静止画像、この静止画像を使用して作成されたアルバム画像等を表示する。操作パネル１６は、アルバム画像の作成時に必要なユーザーの入力操作を検知し、その検知信号をＣＰＵ１３に送る。
【００１５】
ＲＯＭ１１には、アルバム作成プログラムＰＧ１と、アルバム作成に使用されるテンプレート画像データＴＤが記憶されている。ＲＡＭ１７には、画像データ読み取り部１４から読み取られた画像データＰＤ１と、ＣＰＵ１３により作成されたアルバム画像データＡＤ１等が記憶される。ＣＰＵ１３は、アルバム作成プログラムＰＧ１を実行することで、制御部１９と、代表色検出部２０と、目標色検出部２１と、色較差演算部２２と、画像編集部２３と、アルバム画像合成部２４として機能する。
【００１６】
代表色検出部２０は、ＲＡＭ１７から静止画像の画像データＰＤ１を読み出し、そのヒストグラムを作成する。ヒストグラムは、周知のように、画像データＰＤ１の輝度情報及びＲ，Ｇ，Ｂの色情報を画素ごとに検出し、特定の階調値に属する画素数をＲ，Ｇ、Ｂの色成分ごとにカウントした度数分布である。このヒストグラムにおける代表値を色成分毎に検出し、これら代表値を組み合わせたものを、静止画像における代表色として検出する。上述した代表値としては、平均値、中央値、最頻値等があり、これらいずれか１つの値が、代表値として選択される。なお、ヒストグラムとしては、上述した形態の他に、例えば、色を１６進数で表したカラーコードと、特定のカラーコードが用いられた画素数をカウントした度数分布が挙げられる。
【００１７】
目標色検出部２１は、アルバム作成に使用される全ての写真画像の代表色を平均し、各静止画像の代表色の比較対象となる目標色を検出する。なお、目標色は、アルバム画像を作成したときの、１つのアルバム画像における方向性を示す色である。この目標色は、操作パネル１６を介してユーザーにより指定された色が適用される場合と、目標色検出部２１により検出された色が目標色として適用される場合の２通りがあり、いずれの場合とするかはアルバム画像を作成する時にユーザーが選択する。
【００１８】
色較差演算部２２は、代表色と目標色とを色成分ごとに比較し、代表色と目標色の色の違いを示す色較差の値を、例えば色成分毎に算出する。なお、この色較差は、画像編集部２３によって参照される。
【００１９】
画像編集部２３は、アルバム画像を作成する際に、使用する静止画像に対して編集処理を行うために設けられている。この画像編集部２３は、編集選択部３０と、グルーピング実行部３１と、色調補正部３２とから構成されている。
【００２０】
編集選択部３０は、アルバム画像を作成する際に使用する静止画像において、色調補正処理を行うか、画像の振り分け（以下、グルーピング）処理を行うかを判定する。この判定は、色較差演算部２２にて算出された色較差の値が、予め設定された基準範囲内であるか否かを判定する。この判定は静止画像全てに対して行われ、基準範囲内となる静止画像の割合が静止画像全体の６０％以上となる場合には、静止画像に対して行われる編集方法として色調補正処理が選択される。一方、基準範囲内となる静止画像の割合が静止画像全体の６０％未満となる場合には、画像編集方法としてグルーピング処理が選択される。なお、基準範囲としては、例えば目標色のＲ、Ｂ、Ｇ色成分に対して±３０階調の範囲が挙げられるが、この値は適宜設定してよいものである。
【００２１】
色調補正部３１は、静止画像の編集方法として色調補正処理が選択された場合に、色較差演算部２２によって算出された色較差の値から色調補正値を算出し、算出された色調補正値に基づいて、静止画像の色調補正を行う。なお、色調補正値は、例えば、色較差が＋５〜＋１０の場合が−２階調、色較差が＋１１〜＋２０の場合が−５階調、色較差が＋２１〜＋３０の場合が−１０階調、色較差が＋３１以上の場合が−１５階調に設定されている。また、色較差が−５〜−１０の場合が＋２階調、色較差が−１１〜−２０の場合が＋５階調、色較差が−２１〜−３０の場合が＋１０階調、色較差が＋３１以上の場合が＋１５階調に設定されている。
【００２２】
例えば、図２に示すように、静止画像Ｐ１の代表色が（Ｒ、Ｇ、Ｂ）＝（１４０，６０，１３５）で示される色からなり、目標色検出部において検出された目標色が（Ｒ、Ｇ、Ｂ）＝（９３，１５０，６５）で示される色からなる場合、Ｒ、Ｇ、Ｂ色成分の色較差の値は、（ΔＲ、ΔＧ、ΔＢ）＝（＋５７，−９０，＋７０）となる。この色較差の値から、色調補正値は、Ｒ成分が−１５階調、Ｇ成分が＋１５階調、Ｂ成分が−１５階調となる。この色調補正値を用いて静止画像Ｐ１の色調補正を行う。同様にして、静止画像Ｐ２、Ｐ３についても行われる。
【００２３】
グルーピング実行部３２は、静止画像の編集方法としてグルーピング処理が選択された場合に、色較差演算部２２によって算出された色較差の値が、目標色に対して設けられた色範囲内であるか否かを判定し、アルバム画像の作成に用いられる複数の静止画像を、色較差の値が色範囲内である静止画像群と、色較差の値が色範囲外である静止画像群とに振り分ける。この静止画像の振り分けの際の判定基準として、色較差を利用した自乗平均値ＲＭＳが予め設定された色範囲内となる否かを判定する。なお、自乗平均値ＲＭＳは、ＲＭＳ＝｛（ΔＲ）2＋（ΔＧ）2＋（ΔＢ）2｝0.5から算出される。この自乗平均値ＲＭＳは、例えばＲＭＳ≦３０となる場合に目標色と代表色とが近似していると判定する。この静止画像の振り分けの際に、グルーピング実行部３２は、それぞれの静止画像に対してアルバム画像を作成する際の並び順を示す序数情報を付与する。
【００２４】
図３に示すように、静止画像Ｐ１の代表色が、静止画像Ｐ１の代表色が（Ｒ、Ｇ、Ｂ）＝（１４０，６０，１３５）で示される色からなり、目標色検出部において検出された目標色が（Ｒ、Ｇ、Ｂ）＝（９３，１５０，６５）で示される色からなる場合、Ｒ、Ｇ、Ｂ色成分の色較差の値は、（ΔＲ、ΔＧ、ΔＢ）＝（＋５７，−９０，＋７０）となる。この場合、自乗平均値ＲＭＳは、ＲＭＳ＝１２７．４７１５・・・となるので、この場合、静止画像Ｐ１の代表色は、目標色に近似していないと判断され、非近似色のグループに振り分けられる。一方、静止画像Ｐ２の代表色が（Ｒ、Ｇ、Ｂ）＝（１１５，１３４，７６）で示される色からなる場合には、Ｒ、Ｇ、Ｂ色成分の色較差の値は、（ΔＲ、ΔＧ、ΔＢ）＝（＋２２，−１６，＋１１）となる。この場合、自乗平均値ＲＭＳは、ＲＭＳ＝２９．３４２８０１５・・・となるから、この場合、静止画像Ｐ２の代表色は、目標色に近似していると判定され、近似色のグループに振り分けられる。同様にして、他の静止画像についても同様に実行される。
【００２５】
静止画像の振り分けが終了すると、近似色のグループに振り分けられた静止画像に対して、例えば１番、２番・・・の序数情報がそれぞれ付与され、目標色に近似していない代表色となる静止画像には近似色のグループに振られた序数情報よりも後の序数情報が付与される。いずれのグループに若い番号を付与するかはユーザーにより選択できる。この序数情報は、静止画像をテンプレート画像に割り当てる際の順番となる。なお、同じグループ内の静止画像の序数情報は、画像ファイル名の順番に従って付与されても、ユーザーが選択した順番であってもよい。
【００２６】
アルバム画像合成部２４は、ユーザーによって指定された、或いは、目標色検出部２１によって検出された目標色に基づいて決められたテンプレート画像に、静止画像を順番に嵌め込み、アルバム画像を合成する。なお、テンプレート画像に合成される静止画像は、色調補正が行われた静止画像、或いはグルーピング処理によって振り分けられた静止画像である。例えば、図４において、テンプレート画像ＴＰは、静止画像を配置するための複数のレイアウト領域ＬＡ１，ＬＡ２，ＬＡ３と、装飾用の背景領域ＢＡとが予め定義されたもので、例えば、背景領域ＢＡには文字やイラストが入れられている。テンプレート画像は、テンプレートデータＴＤとしてＲＯＭ１１に記憶された状態では背景領域ＢＡの色を示す背景色が決められておらず、次目標色が決定されることにより背景色が決められる。
【００２７】
次に、アルバム画像作成装置１０の作用について図５のフローチャートを参照して説明する。画像データ読み取り部１４にメモリカード又は光ディスクをセットすると、制御部１９がこれを検知し、記憶された静止画像の画像データＰＤ１を読み出す。読み出された画像データＰＤ１は、ＲＡＭ１７にコピーされる。制御部１９は、例えば、読み出された静止画像のサムネイル画像を作成し、画像表示部１５の画面上に複数の静止画像をサムネイル画像として一覧表示する。
【００２８】
ユーザーは、一覧表示されたサムネイル画像を参考にして、アルバム画像の作成に使用する静止画像を選択する。また、静止画像の選択が終了するか、全ての静止画像を使用することが選択されると、代表色検出部２０は、各静止画像のヒストグラムを作成して得られた代表値を色成分とする代表色を検出する。また、目標色検出部２１において、各静止画像の代表色から目標色の候補となる色が検出される。
【００２９】
例えば１２枚の静止画像を用いてアルバム画像を作成する場合、静止画像Ｐ１から（Ｒ，Ｇ，Ｂ）＝（１３０，９４，２３３）とする代表色が検出され、静止画像Ｐ２から（Ｒ，Ｇ，Ｂ）＝（１１５，１３４，７８）とする代表色が検出され、静止画像Ｐ３から（Ｒ，Ｇ，Ｂ）＝（６７，１６７，８３）とする代表色が検出される。同様にして、静止画像Ｐ４〜Ｐ１２についても、それぞれ代表色が検出される。目標色がコンピュータにより自動で決定される場合、例えば各静止画像の代表色の色成分値を平均した値から目標色が求められる。すなわち、静止画像Ｐ１〜Ｐ１２のそれぞれの代表色を色成分毎に平均した値が目標色の候補となる色となる。
【００３０】
画像表示部１５には、代表色に基づいて求められた目標色の候補となる色が表示される。また、テンプレート画像の背景色となる目標色をユーザーにより指定するか、もしくはコンピュータにより自動で決定された色を選択するようにユーザーに促すダイアログが表示される。ユーザーは、コンピュータにより決定された色を目標色とするか、ユーザー自身が選択した色を目標色とするかを選択する操作を行う。これにより、ユーザーは、代表色の平均値から求められた色が気に入らなければ、好みの色を指定することができる。なお、色を指定する場合、画像表示部１５に表示される２５６色のカラーパレットから好きな色を選ぶことが出来る。
【００３１】
このようにして目標色が設定されると、色較差演算部２２において代表色と目標色の色較差が算出される。例えば、代表色の平均から求められた色が目標色に設定された場合、各静止画像の代表色と各代表色から求められた目標色である（Ｒ，Ｇ，Ｂ）＝（９３，１５０，６５）との色較差が求められる。例えば、静止画像Ｐ１の場合、色較差の値は（ΔＲ，ΔＧ，ΔＢ）＝（＋４７，−９０，＋７０）となる。静止画像Ｐ２の場合、色較差の値は（ΔＲ，ΔＧ，ΔＢ）＝（＋２２，−１６，＋１１）となる。静止画像Ｐ３の場合、色較差の値は（ΔＲ，ΔＧ，ΔＢ）＝（＋３，＋２３，＋１４）となる。同様にして、静止画像Ｐ４〜Ｐ１２についても、色較差の値が算出される。
【００３２】
各静止画像の代表色と目標色とから、色較差の値が算出されると、編集選択部３０によって、静止画像Ｐ１〜Ｐ１２を用いたアルバム画像の作成における画像編集方法が選択される。つまり、色較差が予め設定された基準範囲内となっている写真画像の割合に基づいて、使用する静止画像において、色調補正処理を行うか、グルーピング処理を行うかが決定される。例えば、各色成分の色較差がそれぞれ３０階調以内となる静止画像が、使用される静止画像の６０％以上の場合には、画像編集方法として、静止画像の色調補正処理が選択される。一方、各色成分の色較差がそれぞれ３０階調以内となる静止画像が、使用される静止画像の６０％未満の場合には、画像編集方法としてグルーピング処理が選択される。
【００３３】
画像編集方法として、例えば静止画像に対して色調補正処理が選択されると、色調補正部３１は、色較差演算部２２によって算出された色較差の値を参照して、静止画像における色調補正値を算出し、算出された色調補正値に基づいて静止画像の色調補正を行う。
【００３４】
例えば、図２に示すように、静止画像Ｐ１の代表色が（Ｒ、Ｇ、Ｂ）＝（１４０，６０，１３５）で示される色からなり、目標色検出部において検出された目標色が（Ｒ、Ｇ、Ｂ）＝（９３，１５０，６５）で示される色からなる場合、Ｒ、Ｇ、Ｂ色成分の色較差の値は、（ΔＲ、ΔＧ、ΔＢ）＝（＋５７，−９０，＋７０）となる。この色較差の値から、色調補正値は、Ｒ成分が−１５階調、Ｇ成分が＋１５階調、Ｂ成分が−１５階調となる。この色調補正値を用いて静止画像Ｐ１の色調補正を行う。
【００３５】
同様にして、静止画像Ｐ２の代表色が（Ｒ、Ｇ、Ｂ）＝（１１５，１３４，７６）で示される色からなる場合には、Ｒ、Ｇ、Ｂ色成分の色較差の値は、（ΔＲ、ΔＧ、ΔＢ）＝（＋２２，−１６，＋１１）となるから、色調補正値は、Ｒ成分が−１０階調、Ｇ成分が＋５階調、Ｂ成分が−５階調となる。また、静止画像Ｐ３の代表色が（Ｒ、Ｇ、Ｂ）＝（９０，１７３，７９）で示される色からなる場合には、Ｒ、Ｇ、Ｂ色成分の色較差の値は、（ΔＲ、ΔＧ、ΔＢ）＝（−３，＋２２，＋１４）となるから、色調補正値は、Ｒ成分が０階調（補正無し）、Ｇ成分が−１０階調、Ｂ成分が−５階調となる。同様にして静止画像Ｐ４〜Ｐ１２についても色調補正値が求められ、この色調補正値に基づいた静止画像の色調補正処理が行われる。
【００３６】
アルバム画像合成部２６によりテンプレートデータＴＤがＲＡＭ１７より読み出され、色調補正された静止画像とテンプレート画像の合成処理が実行される。なお、アルバム画像合成部２６により選択されるテンプレート画像には、レイアウト領域ＬＡ１，ＬＡ２，ＬＡ３の数，又は形状の異なるものが複数種類のものが用意されており、これら種類の異なるテンプレート画像から無作為に選択されたものである。この際、静止画像は、レイアウト領域ＬＡ１，ＬＡ２，ＬＡ３の大きさ及び形状に合わせて解像度調節及びトリミングが行われる。なお、テンプレート画像に対して静止画像が合成されると、テンプレート画像の背景色として目標色が用いられ、該色情報が、テンプレート画像に付加される。これにより、複数のアルバム画像が作成される。
【００３７】
作成されたアルバム画像は、画像表示部１５に表示される。ユーザーは、アルバム画像を確認し、これを保存するか否かを選択する。作成されたアルバム画像のデータは、ＲＡＭ１７にアルバム画像データＡＤ１として記憶される。ＲＡＭ１７に記憶されたアルバム画像データＡＤ１は、操作パネル１６の操作によって、画像表示部１５にアルバム画像として表示することができる。なお、アルバム画像作成装置１０は、アルバム画像データＡＤ１を着脱自在な記憶媒体に複製できるようにすることが好ましく、又はパーソナルコンピュータ等に転送するためのインターフェースを設けてもよい。
【００３８】
一方、静止画像の編集方法としてグルーピング処理が選択されると、グルーピング実行部３２は、各静止画像の色較差の成分値から求められた自乗平均値ＲＭＳが、グルーピング用基準値より大きいか否かを判定する。なお、自乗平均値ＲＭＳは、ＲＭＳ＝｛（ΔＲ）2＋（ΔＧ）2＋（ΔＢ）2｝0.5から求められる。グルーピング用基準値は、例えば、色較差の全ての成分値が目標色に対して約３０階調以上の違いがあるか否かに応じて静止画像を２つのグループに振り分けることを前提として定められている。静止画像Ｐ１の場合、色較差の自乗平均値ＲＭＳは基準値（＝３０）より大きくなる。この場合、静止画像Ｐ１の代表色は目標色と近似しない非近似色であると判定され、非近似色のグループに振り分けられる。一方、静止画像Ｐ２，Ｐ３は、色較差の自乗平均値ＲＭＳは基準値より小さいので、静止画像Ｐ２，Ｐ３の代表色は目標色と近似する近似色となるので、近似色のグループに振り分けられる。同様にして、写真画像Ｐ４〜Ｐ１２が、非近似色のグループ、或いは近似色のグループのいずれか一方のグループに振り分けられる。このグルーピング処理が行われた際に、各静止画像には、序数情報が付加される。
【００３９】
グルーピング処理が終了すると、アルバム画像合成部２６によりテンプレートデータＴＤがＲＡＭ１７より読み出され、静止画像とテンプレート画像の合成がグルーピング実行部２３で振り分けられたグループ毎に行われる。なお、アルバム画像合成部２６により選択されるテンプレート画像には、レイアウト領域ＬＡ１，ＬＡ２，ＬＡ３の数，又は形状の異なるものが複数種類のものが用意されており、これら種類の異なるテンプレート画像から無作為に選択されたものである。この際、静止画像は、レイアウト領域ＬＡ１，ＬＡ２，ＬＡ３の大きさ及び形状に合わせて解像度調節及びトリミングが行われる。なお、テンプレート画像に対して静止画像が合成されると、テンプレート画像の背景色として目標色が用いられ、該色情報が、テンプレート画像に付加される。これにより、複数のアルバム画像が作成される。なお、作成されたアルバム画像のデータは、ＲＡＭ１７にアルバム画像データＡＤ１として記憶される。
【００４０】
以上のように、本発明の実施形態について説明したが、本発明は上記実施形態に限られず、適宜の変更が可能である。例えば、上記実施形態のアルバム画像作成装置１０は、アルバム画像を作成する専用の装置として構成されているが、アルバム作成プログラムＰＧ１が組み込まれたデジタルスチルカメラ、又はパーソナルコンピュータによってアルバム画像を作成するようにしてもよい。
本実施形態では、グルーピング処理が選択された場合には、グループ化された静止画像をグループ毎にテンプレート画像に合成するようにしたが、グルーピング処理が選択された場合、グループ毎の静止画像に対して色調補正を行うようにしても良い。
【００４１】
本実施形態では、グルーピング処理の場合、単に、代表色が目標色に近似しているグループと、目標色に近似していないグループとの２つのグループに静止画像を振り分けるようにしたが、これに限定する必要はなく、例えばグルーピング処理を行う際、目標色の近似色のグループと、非近似色のグループにそれぞれ属する静止画像の数の差が大きい場合には、画像の数が多いグループを更に細かく複数のグループに分け、各グループに属する画像の数の偏りが小さくなるようにしてもよい。例えば、色較差の基準範囲をさらに１つ設定し、最も色の近似した第１の近似色グループと、その次に近似する第２の近似色グループ、非近似色のグループに分けてもよい。
【００４２】
代表色を検出する際には、ヒストグラムの代表値となる平均値、中央値、最頻値からいずれか１つを用いる場合、標準偏差が最も小さくなる代表値を用いるようにすることや、ユーザーにより任意に選択できるようにすることが好ましい。また、目標色をユーザーが指定した際に、各静止画像の色較差が色調補正を行うか否かを判定するための基準範囲外である場合、近似色と非近似色のグルーピングが行えない場合が発生することが考えられるので、目標色を代表色の平均値に変更することや、ユーザーの指定した色と代表色を平均した色とを混合した色を目標色に設定してもよい。
【図面の簡単な説明】
【００４３】
【図１】本発明のアルバム画像作成装置の構成を示す機能ブロック図である。
【図２】色調補正処理の流れを示す説明図である。
【図３】グルーピング処理の流れを示す説明図である。
【図４】テンプレート画像の構成を示す説明図である。
【図５】アルバム画像作成の流れを示すフローチャートである。
【図６】アルバム画像作成の流れを示す説明図である。
【符号の説明】
【００４４】
１０  アルバム画像作成装置
１１  ＲＯＭ
１３  ＣＰＵ
１７  ＲＡＭ
１９  制御部
２０  代表色検出部
２１  目標色検出部
２２  色較差演算部
２３  画像編集部
３０  編集選択部
３１  色調補正部
３２  グルーピング実行部
２４  アルバム画像合成部
ＡＤ１  アルバム画像データ
ＰＤ１  画像データ
ＰＧ１  アルバム作成用プログラム
ＴＤ  テンプレート画像データ
【図１】
2007028548.tif 000003
【図２】
2007028548.tif 000004
【図３】
2007028548.tif 000005
【図４】
2007028548.tif 000006
【図５】
2007028548.tif 000007
【図６】
2007028548.tif 000008